(57)【要約】【課題】腹部側の筋肉を補助しながら、使用者がより適切な姿勢を維持し易くなる皮膚貼付材を提供する。【解決手段】皮膚貼付材１００は、長手方向Ｙに延在し、脇腹をまたいで腹部側から背中側まで貼られ、長手方向における一端部１１１Ａａ，１１１Ｂａ及び他端部１１１Ａｂ，１１１Ｂｂを有する基礎部１１１と、基礎部１１１の一端部１１１Ａａ，１１１Ｂａから長手方向Ｙに延在して形成され、背中側に貼られる第１延在部１１２と、基礎部１１１の他端部１１１Ａｂ，１１１Ｂｂから長手方向Ｙに延在して形成され、腹部側に貼られる第２延在部１１３と、を備え、第１延在部１１２は、長手方向Ｙに直交する幅方向Ｘに並んで設けられる少なくとも一対の帯部１１２Ａ，１１２Ｂを含む。【選択図】図１
2016077351.tif 000002
【特許請求の範囲】
【請求項１】
長手方向に延在し、脇腹をまたいで腹部側から背中側まで貼られる皮膚貼付材であって、
前記長手方向における一端部及び他端部を有する基礎部と、
前記基礎部の前記一端部から前記長手方向に延在して形成され、前記背中側に貼られる第１延在部と、
前記基礎部の前記他端部から前記長手方向に延在して形成され、前記腹部側に貼られる第２延在部と、
を備え、
前記第１延在部は、前記長手方向に直交する幅方向に並んで設けられる少なくとも一対の帯部を含む、皮膚貼付材。
【請求項２】
長手方向に延在し、脇腹をまたいで腹部側から背中側まで貼られる皮膚貼付材であって、
前記長手方向における一端部及び他端部を有する基礎部と、
前記基礎部の前記一端部から前記長手方向に延在して形成され、前記背中側に貼られる第１延在部と、
前記基礎部の前記他端部から前記長手方向に延在して形成され、前記腹部側に貼られる第２延在部と、
を備え、
前記第１延在部は、
前記長手方向に所定の長さを有し、前記長手方向に直交する幅方向において互いに対向する一対の縁部を含み、
前記一対の縁部は、前記第１延在部の先端部側へ向かうにしたがって前記幅方向における互いの離間距離が大きくなる、皮膚貼付材。
【請求項３】
前記第１延在部は、前記先端部における前記一対の縁部を連結する連結部を含む、請求項２に記載の皮膚貼付材。
【請求項４】
前記第１延在部には、前記基礎部の前記一端部と、前記一対の縁部と、前記連結部とに囲まれた領域に貫通孔が形成される、請求項３に記載の皮膚貼付材。
【請求項５】
前記第１延在部では、前記基礎部の前記一端部と、前記一対の縁部と、前記連結部とに囲まれた領域の全体にわたり貼付材が広がっている、請求項３に記載の皮膚貼付材。
【請求項６】
前記皮膚貼付材の粘着面を保護する剥離部材をさらに備え、
前記剥離部材は、前記基礎部と前記第１延在部との境界領域に形成された分離部を含み、
前記分離部は、前記幅方向における内側の部分に比して、前記幅方向における外側の部分が前記基礎部側に位置している、請求項１〜５のいずれか１項に記載の皮膚貼付材。
【請求項７】
前記第１延在部の前記長手方向における伸縮性が、前記幅方向における伸縮性よりも高い、請求項１〜６のいずれか１項に記載の皮膚貼付材。
【発明の詳細な説明】
【技術分野】
【０００１】
本発明は、皮膚貼付材に関する。
【背景技術】
【０００２】
従来から、使用者の身体に貼り付けることで身体をサポートするための皮膚貼付材が知られている（例えば下記特許文献１参照）。特許文献１に示す皮膚貼付材は、使用者の胴体（ここでは胸腰部）に貼り付けられることでサポートを行う。
【先行技術文献】
【特許文献】
【０００３】
【特許文献１】意匠登録第１３６４６６３号公報
【発明の概要】
【発明が解決しようとする課題】
【０００４】
肉体労働者の中には腰を痛めている人も多く、重量物を持ちあげる際に腰をかばった結果、無理な姿勢を取り他の身体の部分を痛めてしまう事例が多数存在する。このような障害を回避するためには上体を屈曲させず、できるだけ起立した状態で腰を曲げずに持ちあげることが重要である。
【０００５】
従って、腹部側の筋肉を補助しながら、使用者がより適切な姿勢を維持し易くなる皮膚貼付材が要請されている。
【課題を解決するための手段】
【０００６】
本発明の一形態に係る皮膚貼付材は、長手方向に延在し、脇腹をまたいで腹部側から背中側まで貼られる皮膚貼付材であって、長手方向における一端部及び他端部を有する基礎部と、基礎部の一端部から長手方向に延在して形成され、背中側に貼られる第１延在部と、基礎部の他端部から長手方向に延在して形成され、腹部側に貼られる第２延在部と、を備え、第１延在部は、長手方向に直交する幅方向に並んで設けられる少なくとも一対の帯部を含む。
【０００７】
この皮膚貼付材によれば、第１延在部が背中側に貼られるので、背中側の筋肉を補助することができる。また、第２延在部が腹部側に貼られるので、腹部側の筋肉を補助することができる。ここで、第１延在部は少なくとも一対の帯部を含むので、この一対の帯部を長手方向に伸張させるとともに、幅方向における互いの離間距離が先端部側へ向かうにしたがって大きくなるように背中側に貼ると、幅方向（起立方向）において互いの離間距離が小さくなるように応力を発生させることができる。これにより、背中側において、起立筋の収縮を補助し、使用者が起立した状態を取り易くすることができる。以上によって、腹部側の筋肉を補助しながら、使用者がより適切な姿勢を維持し易くなる。
【０００８】
本発明の別の形態に係る皮膚貼付材は、長手方向に延在し、脇腹をまたいで腹部側から背中側まで貼られる皮膚貼付材であって、長手方向における一端部及び他端部を有する基礎部と、基礎部の一端部から長手方向に延在して形成され、背中側に貼られる第１延在部と、基礎部の他端部から長手方向に延在して形成され、腹部側に貼られる第２延在部と、を備え、第１延在部は、長手方向に所定の長さを有し、長手方向に直交する幅方向において互いに対向する一対の縁部を含み、一対の縁部は、第１延在部の先端部側へ向かうにしたがって幅方向における互いの離間距離が大きくなる。
【０００９】
別の形態に係る皮膚貼付材において、第１延在部は、先端部における一対の縁部を連結する連結部を含んでよい。
【００１０】
別の形態に係る皮膚貼付材において、第１延在部には、基礎部の一端部と、一対の縁部と、連結部とに囲まれた領域に貫通孔が形成されてよい。
【００１１】
別の形態に係る皮膚貼付材において、第１延在部では、基礎部の一端部と、一対の縁部と、連結部とに囲まれた領域の全体にわたり貼付材が広がっていてよい。
【００１２】
別の形態に係る皮膚貼付材は、皮膚貼付材の粘着面を保護する剥離部材をさらに備え、剥離部材は、基礎部と第１延在部との境界領域に形成された分離部を含み、分離部は、幅方向における内側の部分に比して、幅方向における外側の部分が基礎部側に位置していてもよい。
【００１３】
別の形態に係る皮膚貼付材において、第１延在部の長手方向における伸縮性が、幅方向における伸縮性よりも高くてよい。
【発明の効果】
【００１４】
本発明によれば、腹部側の筋肉を補助しながら、使用者がより適切な姿勢を維持し易くなる。
【図面の簡単な説明】
【００１５】
【図１】第１実施形態に係る皮膚貼付材の正面図である。
【図２】図１に示す皮膚貼付材の背面図である。
【図３】図１に示す皮膚貼付材の適用例を示す図である。
【図４】図１に示す皮膚貼付材の適用例を示す図である。
【図５】図１に示す皮膚貼付材の適用例を示す図である。
【図６】第２実施形態に係る皮膚貼付材の正面図である。
【図７】図６に示す皮膚貼付材の背面図である。
【図８】第３実施形態に係る皮膚貼付材の正面図である。
【図９】図８に示す皮膚貼付材の背面図である。
【図１０】第４実施形態に係る皮膚貼付材の正面図である。
【図１１】図１０に示す皮膚貼付材の背面図である。
【発明を実施するための形態】
【００１６】
以下、添付図面を参照しながら本発明の実施形態を詳細に説明する。なお、図面の説明において同一又は同等の要素には同一の符号を付し、重複する説明を省略する。
【００１７】
［第１実施形態］
まず、図１及び図２を参照しながら、第１実施形態に係る皮膚貼付材１００の構成について説明する。図１は皮膚貼付材１００を粘着面（後述）とは反対側から見た正面図であり、図２は皮膚貼付材１００を粘着面から見た背面図である。図１及び図２は、使用者の身体に貼られる前の状態に係る皮膚貼付材１００を示している。
【００１８】
皮膚貼付材１００は、人の筋肉を補助するために貼られるテープである。皮膚貼付材１００は、テープ本体１１０及び剥離シート１２０による二重構造を成している。
【００１９】
テープ本体１１０は、織布の片面（粘着面）に粘着剤が塗布されることで形成される。例えば、綿とウレタンとの混紡により作成された織布の片面にアクリル系、シリコーン系、又はゴム系の粘着剤を塗布することでテープ本体１１０を作成することができる。もっとも、テープ本体１１０を構成する織布、樹脂、及び粘着剤はこれらに限定されず、それぞれにおいて任意の材料を用いてよい。
【００２０】
剥離シート１２０は、テープ本体１１０の粘着面を保護するために、当該粘着面上に貼られるシート状の剥離部材である。この剥離シート１２０には、粘着面から剥離シートをはがし易くするためにシリコーン処理が施されていてもよい。
【００２１】
テープ本体１１０と剥離シート１２０とは全体の形状が同じであるので、以下ではテープ本体１１０の形状について説明する。
【００２２】
図１に示すように、テープ本体１１０は一方向に沿って長く、本明細書ではその方向をＹ軸に沿った長手方向Ｙといい、この長手方向と直交する方向をＸ軸に沿った幅方向Ｘという。また、図１における紙面右側を「Ｙ軸正方向」とし、紙面左側を「Ｙ軸負方向」とし、紙面上側を「Ｘ軸正方向」とし、紙面下側を「Ｘ軸負方向」として説明する場合もある。テープ本体１１０全体の寸法は、使用者の体型などを考慮して任意に定めてよく、例えば長さを２３０ｍｍとして幅を７５ｍｍとしてもよい。ただし、当該寸法に限定されるものではなく、例えば長さを１５０〜４００ｍｍとしてよく、幅を３０〜１５０ｍｍとしてよい。
【００２３】
テープ本体１１０は、全体として略長方形状を有しており、長手方向Ｙに沿って、基礎部１１１と、第１延在部１１２と、第２延在部１１３との３つの部分を備える。図１において、基礎部１１１と第１延在部１１２との間の境界ＬＡａ，ＬＢａを一点鎖線で示し、また、基礎部１１１と第２延在部１１３との間の境界ＬＡｂ，ＬＢｂを一点鎖線で示す。ただし、境界ＬＡａ，ＬＢａ及び境界ＬＡｂ，ＬＢｂの位置は、後述する皮膚貼付材１００の機能を発揮できる範囲において適宜変更することができる。例えば、基礎部１１１と第１延在部１１２との間の境界ＬＡａ，ＬＢａが、図１に示す例よりも第１延在部１１２側に位置してもよく、基礎部１１１側に位置してもよい。
【００２４】
基礎部１１１は、長手方向Ｙにおいて、第１延在部１１２と第２延在部１１３との間に位置する。基礎部１１１は、皮膚貼付材１００のテープ本体１１０を身体に貼り付けたときに、位置決め部として機能すると共に、延ばして貼り付けられる各延在部１１２，１１３を支持するアンカー部として機能する。基礎部１１１は、長手方向Ｙにおける一端部１１１Ａａ，１１１Ｂａ及び他端部１１１Ａｂ，１１１Ｂｂを有する。図１に示す例では、基礎部１１１は多角形状（六角形状）を有しており、一端部１１１Ａａ，１１１Ｂａは、当該多角形状の複数の辺のうち隣り合う２つの辺を含んで構成される。他端部１１１Ａｂ，１１１Ｂｂは、一端部１１１Ａａ，１１１Ｂａに含まれる２辺と長手方向Ｙに対向する２つの辺を含んで構成される。本実施形態において基礎部１１１は、テープ本体１１０において長手方向Ｙに沿って伸びる中心線Ｃ１に対して線対称に設けられており、さらに、テープ本体１１０において幅方向Ｘに沿って伸びる中心線Ｃ２に対して線対称に設けられている。ただし、基礎部１１１は、中心線Ｃ１，Ｃ２に対して線対称でなくともよい。
【００２５】
第１延在部１１２は、基礎部１１１の一端部１１１Ａａ，１１１Ｂａから長手方向Ｙ（Ｙ軸負方向）に延在して形成され、背中側に貼られる部分である。第１延在部１１２は、幅方向Ｘに並んで設けられる一対の帯部１１２Ａ，１１２Ｂを含む。なお、図１に示す例では、一対の帯部１１２Ａ，１１２Ｂのみが示されるが、第１延在部１１２が三本以上の帯部を含んでいてもよい。一対の帯部１１２Ａ，１１２Ｂは、それぞれ長手方向Ｙに沿って直線状に延びる長尺な略長方形状をなしている。一対の帯部１１２Ａ，１１２Ｂは、例えば、中心線Ｃ１に対して線対称に設けられる。ただし、一対の帯部１１２Ａ，１１２Ｂは、中心線Ｃ１に対して線対称でなくともよい。
【００２６】
帯部１１２Ａは、基端部１１２Ａａと、縁部１１２Ａｂ，１１２Ａｄと、先端部１１２Ａｃとを含む。基端部１１２Ａａは、基礎部１１１の一端部１１１Ａａとの接続部分である。縁部１１２Ａｂは、帯部１１２Ａにおける幅方向Ｘの外側（この場合はＸ軸正方向側）の部分であり、縁部１１２Ａｄは、内側（この場合はＸ軸負方向側）の部分である。縁部１１２Ａｂ，１１２Ａｄは、長手方向Ｙと平行をなすように延びている。先端部１１２Ａｃは、帯部１１２Ａにおける先端側（Ｙ軸負方向側）の部分である。先端部１１２Ａｃは、幅方向Ｘと平行をなすように延びている。
【００２７】
同様に、帯部１１２Ｂは、基端部１１２Ｂａと、縁部１１２Ｂｂ，１１２Ｂｄと、先端部１１２Ｂｃとを含む。基端部１１２Ｂａは、基礎部１１１の一端部１１１Ｂａとの接続部分である。縁部１１２Ｂｄは、帯部１１２Ｂにおける幅方向Ｘの外側（この場合はＸ軸負方向側）の部分であり、縁部１１２Ｂｂは、内側（この場合はＸ軸正方向側）の部分である。縁部１１２Ｂｂ，１１２Ｂｄは、長手方向Ｙと平行をなすように延びている。先端部１１２Ｂｃは、帯部１１２Ｂにおける先端側（Ｙ軸負方向側）の部分である。先端部１１２Ｂｃは、幅方向Ｘと平行をなすように延びている。
【００２８】
上述のように一対の帯部１１２Ａ，１１２Ｂは幅方向Ｘに並んで設けられる。図１に示す例では、帯部１１２Ａの内側の縁部１１２Ａｄと、帯部１１２Ｂの内側の縁部１１２Ｂｄとが接するように、一対の帯部１１２Ａ，１１２Ｂが隣接して設けられる。また、帯部１１２Ａの幅方向Ｘの内側の縁部１１２Ａｄと帯部１１２Ｂの幅方向Ｘの内側の縁部１１２Ｂｂとの間（中心線Ｃ１と重なる位置）にはスリットが形成されている。従って、貼り付け時には当該スリットの部分で帯部１１２Ａと帯部１１２Ｂは互いに分離可能である。なお、帯部１１２Ａと帯部１１２Ｂはスリットを介して完全に分かれていてもよいが、完全に分かれていなくともミシン目などを介して容易に分離可能な状態となっていてもよい。このように、一対の帯部同士が完全に分かれていなくとも、第１延在部１１２においてミシン目等の分離部を介して互いに幅方向Ｘに区切られている場合は、「幅方向Ｘに並んで設けられる帯部」に該当する。ただし、貼り付け前の状態においても、縁部１１２Ａｄ及び縁部１１２Ｂｂが接しないように、帯部１１２Ａ及び帯部１１２Ｂが間隔を空けて設けられてもよい。
【００２９】
第１延在部１１２の長手方向Ｙにおける伸縮性は、幅方向Ｘにおける伸縮性よりも高くなるように、テープ本体１１０が加工されている（テープ本体を製造する際の繊維方向が調整されている）。第１延在部１１２に限らず、テープ本体１１０全体が、全体として長手方向Ｙに伸び易く、幅方向Ｘに伸びにくいように加工されていてもよい。
【００３０】
第２延在部１１３は、基礎部１１１の他端部１１１Ａｂ，１１１Ｂｂから長手方向Ｙ（Ｙ軸正方向）に延在して形成され、腹部側に貼られる部分である。第２延在部１１３の形状は特に限定されるものではないが、例えば第１延在部１１２と同様の形状とすることができる。その場合、図１に示すように、第２延在部１１３は一対の帯部１１３Ａ，１１３Ｂを含む。一対の帯部１１３Ａは、基端部１１３Ａａと、縁部１１３Ａｂ，１１３Ａｄと、先端部１１３Ａｃとを含み、一対の帯部１１３Ｂは、基端部１１３Ｂａと、縁部１１３Ｂｂ，１１３Ｂｄと、先端部１１３Ｂｃとを含む。これら一対の帯部１１３Ａ，１１３Ｂに含まれる各要素については、一対の帯部１１２Ａ、１１２Ｂに含まれる各要素と同様であるので、ここでは説明を省略する。
【００３１】
一対の帯部１１３Ａ，１１３Ｂは、一対の帯部１１２Ａ，１１２Ｂと同様に、中心線Ｃ１を対称軸として線対称に設けられている。ここで、上述のように基礎部１１１が中心線Ｃ１及びＣ２を軸対象として線対称に設けられていれば、テープ本体１１０（つまり皮膚貼付材１００）は、長手方向Ｙ及び幅方向Ｘのいずれの方向についても対象な形状を有することができる。ただし、一対の帯部１１３Ａ，１１３Ｂは、中心線Ｃ１に対して線対称でなくともよい。
【００３２】
次に、剥離シート１２０について説明する。上述したように剥離シート１２０の全体形状はテープ本体１１０と同じである。図２に示すように、剥離シート１２０には、使用者の剥離作業及び貼付作業を容易にするためにいくつかの分離部が形成される。なお、分離部は、使用者が剥離シート１２０の一部を剥離する時に他の部分から容易に分離可能とする部位であり、完全に切断されたスリットによって構成されてもよく、ミシン目によって構成されていてもよい。図２に示す例では、剥離シート１２０には複数の分離部１３１Ａ，１３１Ｂ，１３２Ａ，１３２Ｂ，１３３Ａ、１３３Ｂ，１３４Ａ，１３４Ｂが形成される。また、これによって、剥離シート１２０は、複数の領域１２１，１２２Ａ，１２２Ｂ，１２３Ａ，１２３Ｂ，１２４Ａ，１２４Ｂ，１２５Ａ，１２５Ｂに区画される。
【００３３】
分離部１３１Ａ，１３１Ｂは、基礎部１１１と第１延在部１１２との境界領域に形成され、基礎部１１１と第１延在部１１２とを分離する一対の切れ目である。より詳細には、分離部１３１Ａ，１３１Ｂは、剥離シート１２０のうち、基礎部１１１の粘着面を保護する部分（領域１２１）と第１延在部１１２の粘着面を保護する部分（領域１２２Ａ，１２２Ａ等）との境界領域に形成され、基礎部１１１の粘着面を保護する部分と、第１延在部１１２の粘着面を保護する部分とを分離する。
【００３４】
ここで、基礎部１１１と第１延在部１１２との境界領域とは、基礎部１１１と第１延在部１１２との境界ＬＡａ、ＬＢａ及びその近傍を含む領域をいう。分離部１３１Ａ，１３１Ｂは、境界ＬＡａ、ＬＢａの上に形成されてもよいし、境界ＬＡａ、ＬＢａよりも基礎部１１１側あるいは第１延在部１１２側に形成されてもよい。例えば分離部１３１Ａ，１３１Ｂが第１延在部１１２内にのみ形成される場合であっても、境界ＬＡａ、ＬＢａに近接しているのであれば、分離部１３１Ａ，１３１Ｂは、基礎部１１１と第１延在部１１２との境界領域に形成されていると言える。なお、先に説明したように、境界ＬＡａ，ＬＢａの位置は、皮膚貼付材１００の機能が発揮できる範囲において変更してもよいので、同様の趣旨により、分離部１３１Ａ，１３１Ｂの位置も適宜変更することができる。
【００３５】
分離部１３１Ａ，１３１Ｂは、幅方向Ｘにおける内側の部分に比して、幅方向Ｘにおける外側の部分が基礎部１１１側に位置するように、幅方向Ｘに対して傾斜している。図１に示す例では、分離部１３１Ａと分離部１３１Ｂとで、傾斜方向が異なるように形成されている。具体的に、一対の分離部１３１Ａ，１３１Ｂのうち、Ｘ軸正方向側の分離部１３１Ａについて見ると、幅方向Ｘの内側（この場合はＸ軸負方向側）の部分に比して、幅方向Ｘの外側（この場合はＸ軸正方向側）の部分が基礎部１１１側（Ｙ軸正方向側）に位置するように、分離部１３１Ａが幅方向Ｘに対して傾斜している。一対の分離部１３１Ａ，１３１Ｂのうち、Ｘ軸負方向側の分離部１３１Ｂについて見ても、幅方向Ｘの内側（この場合はＸ軸正方向側）の部分に比して、幅方向Ｘの外側（この場合はＸ軸負方向側）の部分が基礎部１１１側（Ｙ軸正方向側）に位置するように、分離部１３１Ｂが幅方向Ｘに対して傾斜している。
【００３６】
分離部１３２Ａ，１３２Ｂは、一対の帯部１１２Ａ，１１２Ｂの先端部分に形成され、一対の帯部１１２Ａ，１１２Ｂの先端部１１２Ａｃ，１１２Ｂｃ（領域１２３Ａ，１２３Ｂ）とそれ以外の部分（領域１２２Ａ，１２２Ｂ）とを分離する一対の分離部である。
【００３７】
分離部１３３Ａ，１３３Ｂは、基礎部１１１と一対の帯部１１３Ａ，１１３Ｂとの境界領域に形成され、基礎部１１１（領域１２１）と第２延在部１１３（領域１２４Ａ，１２４Ｂ等）とを分離する一対の分離部である。分離部１３３Ａ，１３３Ｂも、分離部１３１Ａ，１３１Ｂと同様に、幅方向Ｘに対して傾斜している。
【００３８】
分離部１３４Ａ，１３４Ｂは、一対の帯部１１３Ａ，１１３Ｂの先端部分に形成され、一対の帯部１１３Ａ，１１３Ｂの先端部１１３Ａｃ，１１３Ｂｃ（領域１２５Ａ，１２５Ｂ）とそれ以外の部分（領域１２４Ａ，１２４Ｂ等）とを分離する一対の分離部である。
【００３９】
領域１２１は、分離部１３１Ａ，１３１Ｂ及び分離部１３３Ａ，１３３Ｂによって区画され、基礎部１１１の粘着面を保護する。
【００４０】
領域１２２Ａ，１２２Ｂは、分離部１３１Ａ，１３１Ｂ及び１３２Ａ，１３２Ｂによって区画され、一対の帯部１１２Ａ，１１２Ｂのうち先端部１１２Ａｃ，１１２Ｂｃ以外の部分の粘着面を保護する一対の領域である。
【００４１】
領域１２３Ａ，１２３Ｂは、分離部１３２Ａ，１３２Ｂによって区画され、一対の帯部１１２Ａ，１１２Ｂのうち先端部１１２Ａｃ，１１２Ｂｃの粘着面を保護する一対の領域である。
【００４２】
領域１２４Ａ，１２４Ｂは、分離部１３３Ａ，１３３Ｂ及び分離部１３４Ａ，１３４Ｂによって区画され、一対の帯部１１３Ａ，１１３Ｂのうち先端部１１３Ａｃ，１１３Ｂｃ以外の部分の粘着面を保護する一対の領域である。
【００４３】
領域１２５Ａ，１２５Ｂは、分離部１３４Ａ，１３４Ｂによって区画され、一対の帯部１１３Ａ，１１３Ｂのうち先端部１１３Ａｃ，１１３Ｂｃの粘着面を保護する一対の領域である。
【００４４】
上述した皮膚貼付材１００は、例えば、加工された織布の粘着面の全体に剥離シートを貼り付けて一枚のシートを作製し、続いて、そのシートをダイカット（die  cut）することで作製することができる。分離部１３１Ａ等の各切れ目はその裁断時にキスカット（kiss  cut）により形成することができる。
【００４５】
次に図３〜図５を参照して、皮膚貼付材１００の適用例を説明する。図３〜図５は、皮膚貼付材１００が使用者の身体に貼られた状態を示す図であり、図３は貼付部分を側面（使用者の脇腹側）から見た図、図４は貼付部分を背面（使用者の背中側）から見た図、図５は貼付部分を正面（使用者の腹部側）から見た図である。
【００４６】
使用者は、剥離シート１２０を部分的に剥がしてテープ本体１１０の粘着面（貼付面）の一部を露出させ、その露出部分を使用者の身体の適用箇所に貼っていく。以下に貼付け手順の一例を示す。以下に示す例では、基礎部１１１、第１延在部１１２、第２延在部１１３の順に貼る手順について説明するが、例えば、第１延在部１１２の貼付と第２延在部１１３の貼付との順序は逆であってもよい。
【００４７】
はじめに、使用者は基礎部１１１を皮膚に貼る。具体的に、使用者はまず剥離シート１２０の領域１２１を剥がして基礎部１１１の貼付面を露出させる。そして、使用者は、皮膚貼付材１００の長手方向が脇腹をまたいで腹部３側から背中２側に向かう方向となるように皮膚貼付材１００の方向を決めたうえで、基礎部１１１の中央部分が骨盤の上方の脇腹部分に対応するようにその露出部分を皮膚に貼る。
【００４８】
続いて、使用者は第１延在部１１２を皮膚に貼る。具体的に、使用者は剥離シート１２０の領域１２２Ａ,１２２Ｂを剥がして帯部１１２Ａ，１１２Ｂの貼付面の一部を露出させ、領域１２３Ａ，１２３Ｂを持ちながら帯部１１２Ａ，１１２Ｂの露出部分を背中２側に貼る。このとき、領域１２２Ａ，１２２Ｂを分離する分離部１３１Ａ，１３１Ｂが幅方向に対して傾斜しているので、使用者は、帯部１１２Ａ，１１２Ｂの露出部分を容易に斜めにして貼ることができる。また、使用者は、分離部１３１Ａ，１３１Ｂの傾斜を目印として、当該傾斜から例えば略垂直方向に向かって領域１２３Ａ，１２３Ｂを引っ張ることで、帯部１１２Ａ，１１２Ｂを長手方向に伸張させる（例えば１０〜３０ｍｍ程度）とともに、幅方向Ｘにおける互いの離間距離が先端部側へ向かうにしたがって大きくなるように背中２側の皮膚に貼ることができる。さらに、使用者は、剥離シート１２０の領域１２３Ａ，１２３Ｂを剥がして帯部１１２Ａ，１１２Ｂの貼付面の残りの部分を露出させ、帯部１１２Ａ，１１２Ｂの先端部１１２Ａｃ，１１２Ｂｃを皮膚に貼る。
【００４９】
最後に、使用者は第２延在部１１３を皮膚に貼る。具体的に、使用者は剥離シート１２０の領域１２４Ａ，１２４Ｂを剥がして帯部１１３Ａ，１１３Ｂの貼付面の一部を露出させ、領域１２５Ａ，１２５Ｂを持ちながら帯部１１３Ａ，１１３Ｂの露出部分を腹部３側の皮膚に貼る。このとき、背中２側における帯部１１２Ａ，１１２Ｂの貼付と同様に、帯部１１３Ａ，１１３Ｂを長手方向に伸張させる（例えば１０〜３０ｍｍ程度）とともに、幅方向Ｘにおける互いの離間距離が先端部側へ向かうにしたがって大きくなるように、腹部３側の皮膚に貼る。さらに、使用者は、剥離シート１２０の領域１２５Ａ，１２５Ｂを剥がして帯部１１３Ａ，１１３Ｂの貼付面の残りの部分を露出させ、帯部１１３Ａ，１１３Ｂの先端部１１３Ａｃ，１１３Ｂｃを皮膚に貼る。
【００５０】
以上の手順により、図３〜図５に示すように、皮膚貼付材１００は、脇腹をまたいで腹部３側から背中２側まで貼られる。基礎部１１１は、腹部３と背中２との間（脇腹１辺り）に貼られるアンカー部分として機能する。背中２側においては、一対の帯部１１２Ａ，１１２Ｂが、幅方向における互いの離間距離が先端部側へ向かうにしたがって大きくなるように、起立方向（直立時において身体が延びる方向）に対して斜めに貼られる。すなわち、第１延在部１１２が皮膚に貼られた状態では、第１延在部１１２は先端部側に広がるＶ字形状を有する。同様に、腹部３側においては、一対の帯部１１３Ａ，１１３Ｂが、幅方向における互いの離間距離が先端部１１２Ａｃ，１１２Ｂｃ側へ向かうにしたがって大きくなるように、起立方向に対して斜めに貼られる。
【００５１】
上述の貼付手順によれば、皮膚貼付材１００は長手方向に伸張された状態で貼られるので、皮膚貼付材１００には、次に説明するような応力が発生する。
【００５２】
まず、図４を参照して背中２側について説明すると、背中２側には、一対の帯部１１２Ａ，１１２Ｂが長手方向に伸張されて貼られている。伸張されていることによって、一対の帯部１１２Ａ，１１２Ｂには応力が発生する。図４において、一対の帯部１１２ａに生じる応力を応力Ｆ１〜Ｆ３として図示する。
【００５３】
応力Ｆ１は、帯部１１２Ａ，１１２Ｂが長手方向に収縮しようとすることによって生じる、帯部１１２Ａ，１１２Ｂの長手方向に作用する力である。帯部１１２Ａ，１１２Ｂは起立方向に対して斜めに貼られるので、応力Ｆ１も起立方向に対して斜めに発生する。このため、応力Ｆ１は、水平方向（起立方向と直交する方向）に作用する成分である応力Ｆ２と、起立方向に作用する成分である応力Ｆ３とに分けることが可能であり、各応力Ｆ２，Ｆ３の各々が所定の機能を発揮する。
【００５４】
応力Ｆ２は背中２側から腹部３側に向けて、水平方向の筋肉の収縮を補助する。一方、応力Ｆ３は、起立方向の筋肉（例えば脊椎付近において起立方向に延びる起立筋）を収縮させるように作用する。すなわち、帯部１１２Ａでは応力Ｆ３は起立方向下側に向かって作用し、帯部１１２Ｂでは応力Ｆ３は起立方向上側に向かって作用する。これにより、一対の帯部１１２Ａ，１１２Ｂが互いに近づく方向に応力Ｆ３が作用して、起立方向の筋肉の収縮を補助する。
【００５５】
次に、図５を参照して、腹部３側について説明すると、腹部３側には一対の帯部１１３Ａ，１１３Ｂが長手方向に伸張されて貼られている。伸張されていることによって、一対の帯部１１３Ａ，１１３Ｂには応力Ｆ４が発生する。
【００５６】
応力Ｆ４によって、腹部３側の筋肉が補助される。例えば、応力Ｆ４のうち、水平方向に働く応力Ｆ５は腹部３側から背中２側に向けて水平方向の筋肉の収縮を補助し、起立方向に働く応力Ｆ６は起立方向の筋肉の収縮を補助する。
【００５７】
次に、皮膚貼付材１００の作用効果について説明する。皮膚貼付材１００によれば、第２延在部１１３が腹部３側に貼られるので、腹部３側の筋肉を補助することができる。図５に示す例では、第２延在部１１３によって応力Ｆ４（応力Ｆ５，Ｆ６の成分を含む）が発生する。これにより、腹斜筋などの腹部の筋肉を補助し、腹圧を高めることができる。腹圧を高めることで腹部の筋肉の負担を軽減し、また、例えば消化器系などの臓器の重量を支えることもできる。
【００５８】
また、皮膚貼付材１００によれば、第１延在部１１２が背中２側に貼られるので、腹部３側だけでなく背中２側の筋肉をも補助することができる。具体的に、図４に示す例では、第１延在部１１２に含まれる一対の帯部１１２Ａ，１１３Ｂが背中２側に貼られることによって、背中２側において応力Ｆ１（応力Ｆ２，Ｆ３の成分を含む）が発生する。とくに、応力Ｆ１のうち起立方向に作用する応力Ｆ３によって、起立筋の収縮を補助することができる。起立筋の収縮の補助により、使用者が起立した状態（屈曲姿勢とは逆の伸展姿勢）を維持し易くなる。
【００５９】
ここで、比較例として、本実施形態の構造から第１延在部１１２を無くした皮膚貼付材を考えると、次に説明するような問題が生じ得る。すなわち、比較例としての皮膚貼付材では、第２延在部１１３に含まれる一対の帯部１１３Ａ，１１３Ｂの伸張の程度や、開き具合（水平方向に対する角度）が適切でなく応力Ｆ５，Ｆ６が大きくなりすぎた場合には、屈曲姿勢になり易く、使用者が適切な姿勢を維持することが難しくなる可能性がある。これに対し、皮膚貼付材１００によれば、上述のように第１延在部１１２が背中２側に貼られることによる応力Ｆ１（応力Ｆ２，Ｆ３の成分を含む）が発生する。このため、例えば、腹部３側に発生する応力Ｆ４によって腹部３側における腹斜筋を収縮させようとする力が大きくなりすぎる場合でも、背中２側に発生する応力Ｆ１によって腹部３側とは基礎部１１１を挟んで反対側の背中２側における腹斜筋を収縮させようとする力が作用するので、腹部３側と背中２側とで力がバランスする。従って、使用者はより適切な姿勢を維持し易くなる。
【００６０】
また、皮膚貼付材１００の粘着面を保護する剥離シート１２０には、幅方向に対して傾斜した分離部１３１が形成されている。これにより、一対の帯部１１２Ａ，１１２Ｂの離間距離が拡がるようにして貼ることが容易となる。また、使用者は、分離部１３１の傾斜を目印として、当該傾斜から例えば略垂直方向に向かって領域１２３を引っ張ることで、傾斜にしたがった適切な角度で一対の帯部１１２Ａ，１１２Ｂを伸張させて、背中２側の皮膚に貼ることができる。
【００６１】
また、剥離シート１２０において、一対の帯部１１２Ａ，１１２Ｂの先端部には、一対の帯部１１２Ａ，１１２Ｂの先端部１１２Ａｃ，１１２Ｂｃとそれ以外の部分とを分離する分離部１３２Ａ，１３２Ｂが形成されている。これにより、剥離シートのうち分離部１３２Ａ，１３２Ｂから先端側の部分（領域１２３Ａ，１２３Ｂ）を残した状態で、使用者は一対の帯部１１２Ａ，１１２Ｂを貼ることができる。その結果、使用者は、一対の帯部１１２Ａ，１１２Ｂの先端部１１２Ａｃ，１１２Ｂｃの粘着面に触れることなく貼付作業を行うことができる。これにより、先端部１１２Ａｃ，１１２Ｂｃが貼られる前に、それら粘着面の粘着性が損なわれることを防ぐことができる。
【００６２】
さらに、皮膚貼付材１００によれば、腹斜筋以外の腹部の筋肉として、例えば腹横筋の圧迫を補助することもできる。具体的に、基礎部１１１をアンカー部として、第１延在部１１２によって腹横筋の後部（背中２側の部分）を補助し、第２延在部１１３によって腹横筋の前部（腹部３側の部分）を補助することができる。腹横筋の前部及び後部の両方を補助することによって、圧迫効果を高めることができる。また、皮膚貼付材１００が長手方向及び幅方向に対象形状を有する場合には、アンカー部としての基礎部１１１を挟んで、一対の帯部１１２Ａ，１１２Ｂ及び一対の帯部１１３Ａ，１１３Ｂを放射状（例えばＸ形状）に広げて貼ることができる。運動時等には腹横筋にさまざまな方向の伸縮が起き得るが、一対の帯部１１２Ａ，１１２Ｂ及び一対の帯部１１３Ａ，１１３Ｂが放射状に広がって貼られていると、圧力が特定の方向に偏よることなく略均等に分配される。これにより、腹横筋への負荷を軽減することができる。
【００６３】
また、皮膚貼付材１００が長手方向及び幅方向のいずれの方向についても対称な形状を有している場合には、皮膚貼付材１００全体の貼付方向が長手方向Ｙ及び／又は幅方向Ｘが逆であってもよいので、使用者は、皮膚貼付材１００全体の貼付方向を気にせずに使用することができる。
【００６４】
また、皮膚貼付材１００が全体として略長方形状を有している場合には、先に説明したように一枚のシートから皮膚貼付材１００をダイカットして作製するときに、一枚のシートから効率よく（多くの）皮膚貼付材１００をダイカットして作製することができる。
【００６５】
［第２実施形態］
次に、図６及び図７を参照しながら、第２実施形態に係る皮膚貼付材２００の構成について説明する。図６は皮膚貼付材２００の正面図であり、図７は皮膚貼付材２００の背面図である。図６及び図７は、使用者の身体に貼られる前の状態に係る皮膚貼付材２００を示している。第２実施形態は第１実施形態と比較して第１延在部側の形状が異なるので、この点について特に説明する。第２延在部側の形状については第１実施形態と同様であるので、説明を省略する。
【００６６】
皮膚貼付材２００はテープ本体２１０及び剥離シート２２０による二重構成を成している。テープ本体２１０と剥離シート２２０とは全体の形状が同じである。
【００６７】
テープ本体２１０は、長手方向Ｙに沿って延在する。テープ本体２１０は、長手方向Ｙに沿って、基礎部２１１と、第１延在部２１２と、第２延在部１１３との３つの部分を備える。第２延在部１１３については、先に図１を参照して説明したので、ここでは説明を省略する。図６において、基礎部２１１と第１延在部２１２との境界ＬＣを一点鎖線で示す。ただし、境界ＬＣの位置は、皮膚貼付材２００の機能を発揮できる範囲において適宜変更することができる。例えば、基礎部２１１と第１延在部２１２との境界ＬＣが、図６に示す例よりも第１延在部２１２側に位置してもよく、基礎部２１１側に位置してもよい。基礎部２１１と第２延在部１１３との境界については、図１と同様に、境界ＬＡｂ，ＬＢｂとして一点鎖線で示す。
【００６８】
基礎部２１１は、長手方向Ｙにおいて、第１延在部２１２と第２延在部１１３との間に位置する。基礎部２１１も、基礎部１１１（図１）と同様に、皮膚貼付材２００のテープ本体２１０を身体に貼り付けたときに、位置決め部として機能すると共に、延ばして貼り付けられる各延在部２１２，１１３を支持するアンカー部として機能する。基礎部２１１は、長手方向Ｙにおける一端部２１１ｃ及び他端部２１１Ａｂ，２１１Ｂｂを有する。図６に示す例では、基礎部２１１は多角形状（五角形状）を有しており、一端部２１１ｃは、当該多角形状の複数の辺のうち１つの辺を含んで構成される。他端部２１１Ａｂ，２１１Ｂｂは、一端部２１１ｃに含まれる辺と長手方向Ｙに対向する側の２つの辺を含んで構成される。本実施形態において基礎部２１１は、テープ本体２１０において長手方向Ｙに沿って伸びる中心線Ｃ１に対して線対称に設けられている。ただし、基礎部２１１は中心線Ｃ１に対して線対称でなくともよい。
【００６９】
第１延在部２１２は、基礎部２１１の一端部２１１ｃから長手方向Ｙ（Ｙ軸負方向）に延在して形成され、背中側に貼られる部分である。第１延在部２１２は、基端部２１２ａと、縁部２１２Ａｂ，２１２Ｂｂと、先端部２１２Ａｃ，２１２Ｂｃと、連結部２１２ｄと、貫通孔２１２ｅとを含む。基端部２１２ａは、基礎部２１１の一端部２１１ｃとの接続部分である。縁部２１２Ａｂ，２１２Ｂｂは、幅方向Ｘにおいて互いに対向する一対の縁部である。先端部２１２Ａｃ，２１２Ｂｃは、第１延在部２１２の先端側（Ｙ軸負方向側）の部分であり、一対の縁部２１２Ａｂ，２１２Ｂｂの先端側における一対の先端部分でもある。連結部２１２ｄは、第１延在部２１２の先端部における一対の縁部２１２Ａｂ，２１２Ｂｂを連結する部分であり、より具体的には、一対の先端部２１２Ａｃ，２１２Ｂｃを互いに連結する部分である。貫通孔２１２ｅは、第１延在部２１２において、基礎部２１１の一端部２１１ｃ（あるいは第１延在部２１２の基端部２１２ａ）と、一対の縁部２１２Ａｂ，２１２Ｂｂと、連結部２１２ｂとに囲まれた領域に形成される。貫通孔２１２ｅは、例えばダイカットによって形成することができる。
【００７０】
第２実施形態においても、第１実施形態と同様に、第１延在部２１２の長手方向Ｙにおける伸縮性は、幅方向Ｘにおける伸縮性よりも高くなるように、テープ本体２１０が加工されている。
【００７１】
第２実施形態において、一対の縁部２１２Ａｂ，２１２Ｂｂは、長手方向Ｙに所定の長さＬ２を有する。また、一対の縁部２１２Ａｂ，２１２Ｂｂは、第１延在部２１２の先端部２１２Ａｃ，２１２Ｂｃに向かうにしたがって幅方向Ｘにおける互いの離間距離が大きくなる。これにより、一対の縁部２１２Ａｂ，２１２Ｂｂは全体として、先端部側に広がるＶ字形状を有する。さらに、基端部２１２ａ及び連結部２１２ｄを含めると、第１延在部２１２はその外形が、基端側に短く先端部側に長い台形形状を有する。基礎部２１１及び第２延在部１３３を含めたテープ本体２１０（皮膚貼付材２００）は、全体として、第１延在部２１２の先端部側に広がるＹ字形状を有する。テープ本体２１０は、第２延在部１１３から基礎部２１１に至る部分において幅方向Ｘの長さが一定となっており、境界ＬＣを起点として、そこから第１延在部２１２の先端側に向かうにしたがって幅方向Ｘの長さが長くなる。
【００７２】
また、第１延在部２１２は、基端部２１２ａにおいて幅方向Ｘに所定の長さＬ１を有し、先端部２１２Ａｃ，２１２Ｂｃにおいて、幅方向Ｘに所定の長さＬ３を有する。第１延在部２１２の形状は、Ｌ１〜Ｌ３の寸法によっても特徴づけられる。第２実施形態においては、Ｌ２はＬ３より長くてもよい。Ｌ２を長くすることで、背中側に貼られる貼付材の面積を増加させ、背中側の筋肉の補助を高めることができる。例えばＬ２のＬ１に対する比率（Ｌ２／Ｌ１）は１．５以上、３．０以上または５．０以上とすることが好ましい。Ｌ２のＬ３に対する比率（Ｌ２／Ｌ３）は１．０〜２．５とすることが好ましい。Ｌ３のＬ１に対する比率（Ｌ３／Ｌ１）は１．４以上、２．０以上または３．０以上とすることが好ましい。具体的な数値として、例えば、Ｌ１を３０〜１５０ｍｍ、Ｌ２を７５〜２５０ｍｍとし、Ｌ３を７５〜２５０ｍｍとすることができる。
【００７３】
次に、剥離シート２２０について説明する。上述したように剥離シート２２０の全体形状はテープ本体２１０と同じである。剥離シート２２０には、剥離シート１２０（図２）と同様に、複数の分離部が形成される。具体的に、剥離シート２２０には複数の分離部２３１，２３２Ａ，２３２Ｂ，２３３Ａ，２３３Ｂ，１３４Ａ，１３４Ｂが形成され、剥離シート２２０は複数の領域２２１〜２２３，１２４Ａ，１２４Ｂ，１２５Ａ，１２５Ｂに区画される。分離部１３４Ａ，１３４Ｂ及び領域１２４Ａ，１２４Ｂ，１２５Ａ，１２５Ｂについては、先に図２を参照して説明したので、ここでは説明を省略する。
【００７４】
分離部２３１は、基礎部２１１と第１延在部２１２との境界領域に形成され、基礎部２１１と第１延在部２１２とを分離する。図６，７に示す例では分離部２３１が境界ＬＣの近傍であって境界ＬＣよりも第１延在部２１２側に形成されている。このような状態も、分離部２３１が基礎部２１１と第１延在部２１２との境界領域に形成されていると言える。なお、図７に示す例では、分離部２３１は、幅方向Ｘに沿って形成されているが、分離部２３１は幅方向Ｘに対して傾斜していてもよい。例えば、分離部２３１を、後述の第４実施例で説明する分離部４３１Ａ，４３１Ｂのように傾斜させて構成してもよい。
【００７５】
分離部２３２Ａ，２３２Ｂは、第１延在部２１２の先端部分に形成され、第１延在部２１２の先端部２１２Ａｃ，２１２Ｂｃ及び連結部２１２ｄ（領域２２３）とそれ以外の部分（領域２２２）とを分離する一対の分離部である。
【００７６】
分離部２３３Ａ，２３３Ｂは、基礎部２１１と一対の帯部１１３Ａ，１１３Ｂとの境界領域に形成され、基礎部２１１（領域２２１）と第２延在部１１３（領域１２４Ａ，１２４Ｂ等）とを分離する一対の分離部である。分離部２３３Ａ，２３３Ｂは、図２の分離部１３３Ａ，１３３Ｂと同様に、幅方向Ｘに対して傾斜している。
【００７７】
領域２２１は、分離部２３１及び分離部２３３Ａ，２３３Ｂによって区画され、基礎部２１１の粘着面を保護する。
【００７８】
領域２２２は、分離部２３１及び分離部２３２Ａ，２３２Ｂによって区画され、第１延在部２１２のうち先端部２１２Ａｃ，２１２Ｂｃ及び連結部２１２ｄ以外の部分の粘着面を保護する。
【００７９】
領域２２３は、分離部２３２Ａ，２３２Ｂによって区画され、第１延在部２１２の先端部２１２Ａｃ，２１２Ｂｃ及び連結部２１２ｄの粘着面を保護する。
【００８０】
次に、皮膚貼付材２００の貼付け手順の一例を説明する。はじめに、使用者は基礎部２１１を皮膚に貼る。具体的に、使用者はまず剥離シート２２０の領域２２１を剥がして基礎部２１１の貼付面（及び第１延在部２１２の一部）を露出させる。そして、使用者は、皮膚貼付材２００の長手方向が腹部側から脇腹をまたいで背中側に向かう方向となるように皮膚貼付材２００の方向を決めたうえで、基礎部２１１と第１延在部２１２と間の部分（境界ＬＣ）が骨盤の上方の脇腹部分に対応するようにその露出部分を貼る。
【００８１】
続いて、使用者は第１延在部２１２を皮膚に貼る。具体的に、使用者は剥離シート２２０の領域２２２を剥がして第１延在部２１２の貼付面の一部を露出させ、領域２２３を持ちながら第１延在部２１２の露出部分を、背中２側の皮膚に貼る。このとき、領域２２３を引っ張ることで、第１延在部２１２を長手方向に伸張させて（例えば１０〜３０ｍｍ程度）、背中側の皮膚に貼るようにする。さらに、使用者は、剥離シート２２０の領域２２３を剥がして第１延在部２１２の貼付面の残りの部分を露出させ、第１延在部２１２の先端部２１２Ａｃ，２１２Ｂｃ及び連結部２１２ｄを皮膚に貼る。
【００８２】
最後に、使用者は第２延在部１１３を皮膚に貼る。第２延在部１１３の貼付手順については、先に図３〜図５を参照して説明したので、ここでは説明を省略する。
【００８３】
以上の手順により、皮膚貼付材２００は、脇腹をまたいで腹部側から背中側まで貼られる。ここで、一対の縁部２１２Ａｂ，２１２Ｂｂは、もともと第１延在部２１２の先端部側に向かうにしたがって幅方向Ｘにおける互いの離間距離が大きくなっているので、その形状において長手方向に伸張された状態で第１延在部２１２が背中側の皮膚に貼られることとなる。この状態では、第１実施形態に係る皮膚貼付材１００の第１延在部１１２に含まれる一対の帯部１１２Ａ，１１２Ｂ（図３，４）と同様に、一対の縁部２１２Ａｂ，２１２Ｂｂによって先端部側に広がるＶ字形状が形成される。
【００８４】
そのため、長手方向に伸張された状態で貼られた皮膚貼付材２００に含まれる第１延在部２１２（少なくとも一対の縁部２１２Ａｂ，２１２Ｂｂ付近）においても、第１実施形態に係る皮膚貼付材１００に含まれる第１延在部１１２に発生する応力と同様の応力が発生する。図６において、皮膚貼付材２００が伸張されて貼られた場合に第１延在部２１２に発生する応力を応力Ｆ７〜Ｆ９として図示する。
【００８５】
応力Ｆ７は、第１延在部２１２が長手方向Ｙに収縮しようとすることによって生じる、一対の縁部２１２Ａｂ，２１２Ｂｂに沿う方向に作用する力である。皮膚貼付材２００が貼られた状態では、応力Ｆ７は起立方向に対して斜めに発生する。このため、応力Ｆ７は、水平方向に作用する成分である応力Ｆ８と、起立方向に作用する成分である応力Ｆ９とに分けることが可能である。これら応力Ｆ７〜Ｆ９は、第１実施形態に係る皮膚貼付材１００において発生する応力Ｆ４〜Ｆ６（図４）にそれぞれに対応し、同様に作用する。
【００８６】
次に、皮膚貼付材２００の作用効果について説明する。上述のように、皮膚貼付材２００に含まれる第１延在部２１２においても、第１実施形態に係る皮膚貼付材１００に含まれる第１延在部１１２に発生する応力（Ｆ４〜Ｆ６）と同様の応力（Ｆ７〜Ｆ９）が発生する。したがって、皮膚貼付材２００によっても、背中側の腹斜筋を補助して、使用者が適切な姿勢を維持し易くなるようにすることができる。
【００８７】
また、皮膚貼付材２００では、第１延在部２１２の一対の縁部２１２Ａｂ，２１２Ｂｂが、先端部分において連結部２１２ｂによって連結されている。ここで、第１延在部２１２の幅方向Ｘにおける伸縮性をできるだけ小さくすることで、連結部２１２ｄが幅方向Ｘにはほとんど伸縮しないようにすることができる。皮膚貼付材２００が貼られた状態では、幅方向Ｘが起立方向に等しくなるので、連結部２１２ｄは、起立方向にほとんど伸張しないこととなる。これにより、例えば、使用者が極端な前屈姿勢を取ったときには、背中側に貼られた第１延在部２１２に含まれる連結部２１２ｄが起立方向にほとんど伸張しないことによって、前屈姿勢を妨げる力（図６に示す反力ＴＦ）を発生させることができる。これによっても、使用者が適切な姿勢を維持し易くなるようにすることができる。
【００８８】
さらに、連結部２１２ｄが有ることによって、連結部２１２ｄが無い場合よりも、起立筋に沿った方向に貼られる貼付材の面積を増加させて、起立筋の補助を高めることができる。また、連結部２１２ｄが無いと、一対の先端部２１２Ａｃ，２１２Ｂｃの間の皮膚が皮膚貼付材２００に対して固定されないので、起立方向の応力Ｆ９が皮膚の伸縮によって緩和されて起立筋に十分に伝達されず、起立筋の補助が不足する可能性がある。これに対し、連結部２１２ｄが有ることによって、その部分（すなわち一対の先端部２１２Ａｃ，２１２Ｂｃの間の部分）の皮膚が皮膚貼付材２００に対して固定される。これにより、起立方向の応力を起立筋に確実に伝達し、起立筋の補助を高めることができる。
【００８９】
また、第１延在部２１２に貫通孔２１２ｅが形成されていることによって、皮膚貼付材２００の貼り付け面積を低減できる。これにより、貼付材の皮膚への追従性を改善することができる。
【００９０】
［第３実施形態］
次に、図８及び図９を参照しながら、第３実施形態に係る皮膚貼付材３００の構成について説明する。図８は皮膚貼付材３００の正面図であり、図９は皮膚貼付材３００の背面図である。図８及び図９は、使用者の身体に貼られる前の状態に係る皮膚貼付材３００を示している。皮膚貼付材３００は、皮膚貼付材２００（図６）と比較して、貫通孔２１２ｅを有していない点で相違する。
【００９１】
皮膚貼付材３００は、テープ本体３１０及び剥離シート３２０による二重構造を成している。テープ本体３１０と剥離シート３２０とは全体の形状が同じである。
【００９２】
テープ本体３１０は、テープ本体２１０（図６）と比較して、第１延在部２１２に代えて第１延在部３１２を含む点で相違する。第１延在部３１２では、基礎部２１１の一端部２１１ｃ（あるいは第１延在部３１２の基端部２１２ａ）と、一対の縁部２１２Ａｂ，２１２Ｂｂと、連結部２１２ｄとに囲まれた領域の全体にわたり貼付材が広がっている。第１延在部３１２は、その全体が基端側に短く先端部側に長い台形形状を有する。
【００９３】
剥離シート３２０は、テープ本体３１０に合わせた形状とされる。剥離シート３２０は、剥離シート２２０（図７）と比較して、分離部２３２Ａ，２３２Ｂに代えて分離部３３２を含み、領域２２２に代えて領域３２２を含む点で相違する。分離部３３２は、第１延在部３１２の先端部分に形成され、第１延在部３２１の先端部２１２Ａｃ，２１２Ｂｃ及び連結部２１２ｄ（領域２２３）とそれ以外の部分（領域３２２）とを分離する。領域３２２は、分離部２３１及び分離部３３２によって区画され、第１延在部３１２のうち先端部２１２Ａｃ，２１２Ｂｃ及び連結部２１２ｄ以外の部分の粘着面を保護する。
【００９４】
皮膚貼付材３００の貼付手順については、先に説明した第２実施形態に係る皮膚貼付材２００の貼付手順と同様とすることができるので、ここでは説明を省略する。
【００９５】
皮膚貼付材３００の第１延在部３１２は、第２実施形態に係る皮膚貼付材２００の第１延在部２１２と同様に、一対の縁部２１２Ａｂ，２１２Ｂｂを含んでいる。そのため、長手方向に伸張された状態で貼られた第１延在部３１２においても、第２実施形態に係る皮膚貼付材２００に含まれる第１延在部２１２と同様の応力Ｆ７〜Ｆ９が発生する。したがって、皮膚貼付材３００によっても、背中側の腹斜筋を補助して、使用者が適切な姿勢を維持し易くなるようにすることができる。さらに、第１延在部３１２は連結部２１２ｄを含んでいるので、第２実施形態に係る皮膚貼付材２００に含まれる第１延在部２１２と同様の反力ＴＦを発生させることができる。ここで、第１延在部３１２では、皮膚貼付材２００のような貫通孔２１２ｅが形成されておらずその部分には貼付材が広がっているので、その部分においても反力ＴＦが発生し得る。これにより、使用者が極端な前屈姿勢を取った場合に発生する反力ＴＦが増大するので、使用者は適切な姿勢を維持することがさらに容易となる。また、皮膚貼付材２００のような貫通孔２１２ｅを形成する必要がないので、その分、貼付材の製作が容易となる。
【００９６】
［第４実施形態］
次に、図１０及び図１１を参照しながら、第４実施形態に係る皮膚貼付材４００の構成について説明する。図１０は皮膚貼付材４００の正面図であり、図１１は皮膚貼付材４００の背面図である。図１０及び図１１は、使用者の身体に貼られる前の状態に係る皮膚貼付材４００を示している。皮膚貼付材４００は、皮膚貼付材２００（図６）と比較して、連結部２１２ｄを有さない点で相違する。
【００９７】
皮膚貼付材４００は、テープ本体４１０及び剥離シート４２０による二重構造を成している。テープ本体４１０と剥離シート４２０とは全体の形状が同じである。
【００９８】
テープ本体４１０は、テープ本体２１０（図６）と比較して、基礎部２１１及び第１延在部２１２に代えて基礎部４１１及び第１延在部４１２を含む点で相違する。図１０において、基礎部４１１と第１延在部４１２との境界ＬＡｄ，ＬＢｄを一点鎖線で示す。境界ＬＡｄ，ＬＢｄによって、第１延在部４１２は、縁部２１２Ａｂを含む帯部４１２Ａと、縁部２１２Ｂｂを含む帯部４１２Ｂとの一対の帯部に分離され、それにより基礎部４１１は、長手方向Ｙにおける一端部４１１Ａａ，４１１Ｂａを有するように構成される。基礎部４１１の一端部４１１Ａａ，４１１Ｂａは、帯部４１２Ａ，４１２Ｂの基端部４１２Ａａ，４１２Ｂａにそれぞれ接するように構成される。基礎部４１１の他端部２１１Ａｂ，２１１Ｂｂについては、先に図６を参照して説明したので、ここでは説明を省略する。基礎部４１１も、基礎部１１１（図１）と同様に、皮膚貼付材４００のテープ本体４１０を身体に貼り付けたときに、位置決め部として機能すると共に、延ばして貼り付けられる各延在部４１２，１１３を支持するアンカー部として機能する。なお、境界ＬＡｄ，ＬＢｄの位置は図１０に示す例に限定されるものでなく、皮膚貼付材４００の機能を発揮できる範囲において適宜変更することができる。例えば、境界ＬＡｄ、ＬＢｄを、図６に示す境界ＬＣのように幅方向Ｘに沿った一つの境界として構成してもよい。この場合、基礎部４１１の形状は図６に示す基礎部２１１と同様の形状となり、第１延在部４１２は、縁部２１２Ａｂ及び２１２Ｂｂが基端側で接続されてなる形状を有する。
【００９９】
第１延在部４１２は、第１延在部２１２（図６）と比較して、連結部２１２ｄを有しない点で相違する。さらに、境界ＬＡｄ，ＬＢｄによって基礎部４１１と第１延在部４１２とが分けられて帯部４１２Ａ，４１２Ｂが形成されるので、帯部４１２Ａ，４１２Ｂの各々が基端部４１２Ａａ，４１２Ｂａをそれぞれ含む。第１延在部４１２は、先端部側に広がるＶ字形状を有する。
【０１００】
剥離シート４２０は、テープ本体４１０に合わせた形状とされる。剥離シート４２０は、剥離シート２２０（図７）と比較して、分離部２３１に代えて分離部４３１Ａ，４３１Ｂを含み、領域２２１及び領域２２３に代えて領域４２１及び領域４２３Ａ，４２３Ｂを含む点で相違する。分離部４３１Ａ，４３１Ｂは、基礎部４１１と第１延在部４１２に含まれる一対の帯部４１２Ａ，４１２Ｂとを分離する一対の分離部である。領域４２１は、分離部４３１Ａ，４３１Ｂ及び分離部２３３Ａ，２３３Ｂによって区画され、基礎部４１１の粘着面を保護する。領域４２３Ａ、４２３Ｂは、分離部２３２Ａ，２３２Ｂによって区画され、第１延在部４１２の先端部２１２Ａｃ，２１２Ｂｃの粘着面を保護する。
【０１０１】
皮膚貼付材４００の貼付手順については、先に説明した皮膚貼付材２００の貼付手順と同様とすることができるので、ここでは説明を省略する。
【０１０２】
皮膚貼付材４００の第１延在部４１２も、第２実施形態に係る皮膚貼付材２００の第１延在部２１２と同様に、一対の縁部２１２Ａｂ，２１２Ｂｂを含んでいる。そのため、長手方向に伸張された状態で貼られた第１延在部４１２においても、第２実施形態に係る皮膚貼付材２００に含まれる第１延在部２１２と同様の応力Ｆ７〜Ｆ９が発生する。したがって、皮膚貼付材３００によっても、背中側の腹斜筋を補助して、使用者が適切な姿勢を維持し易くなるようにすることができる。
【０１０３】
本発明は、上述した実施形態に限定されるものではない。各実施形態の特徴部分を適宜組み合わせた構成についても、本発明の実施形態とすることができる。
【０１０４】
また、以上では、腹部側に貼られる第２延在部１１３を、一対の帯部１１３Ａ，１１３Ｂを含む構成を例に挙げて説明したが、第２延在部の構成は、特に限定されるものでない。例えば、第２延在部の形状として一本の帯形状を採用してもよく、また、図６，図８，図１０に示す第１延在部２１２，３１２，３１４のような種々の形状を採用してもよい。
【符号の説明】
【０１０５】
１…脇腹、２…背中、３…腹部、１００，２００，３００，４００…皮膚貼付材。１１０，２１０，３１０，４１０…テープ本体、１１１，２１１，４１１…基礎部、１１２，２１２，３１２，４１２…第１延在部、１１３…第２延在部、１１２Ａ，１１２Ｂ，１１３Ａ，１１３Ｂ，４１２Ａ，４１２Ｂ…帯部、１２０，２２０，３２０，４２０…剥離シート。
【図１】
2016077351.tif 000003
【図２】
2016077351.tif 000004
【図３】
2016077351.tif 000005
【図４】
2016077351.tif 000006
【図５】
2016077351.tif 000007
【図６】
2016077351.tif 000008
【図７】
2016077351.tif 000009
【図８】
2016077351.tif 000010
【図９】
2016077351.tif 000011
【図１０】
2016077351.tif 000012
【図１１】
2016077351.tif 000013